Podtech/llm-jp-corpus-v4-ja_patent huggingface dataset:
【手続補正書】
【提出日】令和1年6月10日(2019.6.10)
【手続補正１】
【補正対象書類名】明細書
【補正対象項目名】発明の名称
【補正方法】変更
【補正の内容】
【発明の名称】アクティブマトリクス型表示装置、携帯電話機
【手続補正２】
【補正対象書類名】特許請求の範囲
【補正対象項目名】全文
【補正方法】変更
【補正の内容】
【特許請求の範囲】
【請求項１】
第１の基板上のトランジスタと、前記トランジスタ上の液晶と、前記液晶上の第２の基板と、を有するアクティブマトリクス型表示装置であって、
前記第１の基板と前記液晶との間には、前記トランジスタと、前記トランジスタ上に位置し且つ有機材料を有する層間絶縁膜と、前記層間絶縁膜上の透明導電膜と、前記透明導電膜上の金属膜と、が設けられ、
前記第２の基板と前記液晶との間には、遮光膜と、カラーフィルタと、が設けられ、
前記透明導電膜は、前記層間絶縁膜の上面と接する領域を有し、
前記透明導電膜は、前記金属膜の下面と接する第１の領域と、前記金属膜と接しない第２の領域とを有し、
前記第１の領域は、前記遮光膜と重なるアクティブマトリクス型表示装置。
【請求項２】
第１の基板上のトランジスタと、前記トランジスタ上の液晶と、前記液晶上の第２の基板と、を有するアクティブマトリクス型表示装置であって、
前記第１の基板と前記液晶との間には、前記トランジスタと、前記トランジスタ上に位置し且つ有機材料を有する層間絶縁膜と、前記層間絶縁膜上の透明導電膜と、前記透明導電膜上の金属膜と、が設けられ、
前記第２の基板と前記液晶との間には、遮光膜と、カラーフィルタと、が設けられ、
前記透明導電膜は、前記層間絶縁膜の上面と接する領域を有し、
前記透明導電膜は、前記金属膜の下面と接する第１の領域と、前記金属膜と接しない第２の領域とを有し、
前記第１の領域は、前記遮光膜と重なり、
前記第２の領域は、前記カラーフィルタと重なるアクティブマトリクス型表示装置。
【請求項３】
第１の基板上のトランジスタと、前記トランジスタ上の液晶と、前記液晶上の第２の基板と、を有するアクティブマトリクス型表示装置であって、
前記第１の基板と前記液晶との間には、前記トランジスタと、前記トランジスタ上に位置し且つ有機材料を有する層間絶縁膜と、前記層間絶縁膜上の透明導電膜と、前記透明導電膜上の金属膜と、が設けられ、
前記第２の基板と前記液晶との間には、遮光膜と、カラーフィルタと、が設けられ、
前記透明導電膜は、前記層間絶縁膜の上面と接する領域を有し、
前記透明導電膜は、前記金属膜の下面と接する第１の領域と、前記金属膜と接しない第２の領域とを有し、
前記第１の領域は、前記遮光膜と重なり、
上面視において、前記透明導電膜は、前記第１の領域に囲まれた前記第２の領域を有するアクティブマトリクス型表示装置。
【請求項４】
第１の基板上のトランジスタと、前記トランジスタ上の液晶と、前記液晶上の第２の基板と、を有するアクティブマトリクス型表示装置であって、
前記第１の基板と前記液晶との間には、前記トランジスタと、前記トランジスタ上に位置し且つ有機材料を有する層間絶縁膜と、前記層間絶縁膜上の透明導電膜と、前記透明導電膜上の金属膜と、が設けられ、
前記第２の基板と前記液晶との間には、遮光膜と、カラーフィルタと、が設けられ、
前記透明導電膜は、前記層間絶縁膜の上面と接する領域を有し、
前記透明導電膜は、前記金属膜の下面と接する第１の領域と、前記金属膜と接しない第２の領域とを有し、
前記第１の領域は、前記遮光膜と重なり、
前記第２の領域は、前記カラーフィルタと重なり、
上面視において、前記透明導電膜は、前記第１の領域に囲まれた前記第２の領域を有するアクティブマトリクス型表示装置。
【請求項５】
請求項１乃至請求項４のいずれか一において、
前記透明導電膜は、インジウムスズ酸化物膜であるアクティブマトリクス型表示装置。
【請求項６】
請求項１乃至請求項５のいずれか一に記載のアクティブマトリクス型表示装置を有する携帯電話機。
【手続補正書】
【提出日】平成31年4月4日(2019.4.4)
【手続補正１】
【補正対象書類名】特許請求の範囲
【補正対象項目名】全文
【補正方法】変更
【補正の内容】
【特許請求の範囲】
【請求項１】
拡大共役側から順に、前群と、絞りと、後群と、を有し、
前記前群は、拡大共役側から順に、負の屈折力を有する第１レンズ、少なくとも１面が非球面であり、メニスカス形状の負の屈折力を有する第２レンズ、および拡大共役側の面が凹な非球面であり、負の屈折力を有する第３レンズを備え、
前記第２レンズは、周辺部で正の屈折力を有し、
前記第２レンズは、中心部の曲率の符号に対して周辺部の曲率の符号が異なる面を有し、
光軸から、前記第２レンズの前記符号が異なる面における任意の極値に対応する位置までの光軸に直交する方向の距離をｒｋ、レンズ半径をｒとするとき、
０．５ｒ≦ｒｋ≦０．７５ｒ
なる条件式を満足することを特徴とする結像光学系。
【請求項２】
前記第２レンズの前記符号が異なる面は、前記第２レンズの縮小共役側の面にあることを特徴とする請求項１に記載の結像光学系。
【請求項３】
前記第２レンズの屈折力をφ２、前記第３レンズの屈折力をφ３とするとき、
０．５≦φ２／φ３≦４．０
なる条件式を満足することを特徴とする請求項１または２に記載の結像光学系。
【請求項４】
前記第２レンズの屈折力をφ２、前記第３レンズの屈折力をφ３とするとき、
０．８≦φ２／φ３≦２．５
なる条件式を満足することを特徴とする請求項１から３のいずれか１項に記載の結像光学系。
【請求項５】
前記第１レンズは、球面レンズであることを特徴とする請求項１から４のいずれか１項に記載の結像光学系。
【請求項６】
前記前群は、拡大共役側から順に、変倍の際に固定で負の屈折力の第１レンズ群、変倍の際に可動で正の屈折力の第２レンズ群、および変倍の際に可動で正の屈折力の第３レンズ群を備え、
前記後群は、拡大共役側から順に、変倍の際に可動で負の屈折力の第４レンズ群、および変倍の際に固定で正の屈折力の第５レンズ群を備えることを特徴とする請求項１から５のいずれか１項に記載の結像光学系。
【請求項７】
請求項１から６のいずれか１項に記載の結像光学系と、
画像表示素子と、
前記画像表示素子からの光を前記結像光学系に導く導光光学系と、を有することを特徴とする画像投影装置。
【請求項８】
請求項１から６のいずれか１項に記載の結像光学系と、
前記結像光学系によって形成された像を受光する撮像素子と、を有することを特徴とする撮像装置。
【手続補正２】
【補正対象書類名】明細書
【補正対象項目名】０００６
【補正方法】変更
【補正の内容】
【０００６】
本発明の一側面としての結像光学系は、拡大共役側から順に、前群と、絞りと、後群と、を有し、前記前群は、拡大共役側から順に、負の屈折力を有する第１レンズ、少なくとも１面が非球面であり、メニスカス形状の負の屈折力を有する第２レンズ、および拡大共役側の面が凹な非球面であり、負の屈折力を有する第３レンズを備え、前記第２レンズは、周辺部で正の屈折力を有し、前記第２レンズは、中心部の曲率の符号に対して周辺部の曲率の符号が異なる面を有し、光軸から、前記第２レンズの前記符号が異なる面における任意の極値に対応する位置までの光軸に直交する方向の距離をｒｋ、レンズ半径をｒとするとき、
０．５ｒ≦ｒｋ≦０．７５ｒ
なる条件式を満足することを特徴とする。
【手続補正書】
【提出日】令和1年7月19日(2019.7.19)
【手続補正１】
【補正対象書類名】特許請求の範囲
【補正対象項目名】全文
【補正方法】変更
【補正の内容】
【特許請求の範囲】
【請求項１】
アームの一番目の肢をアームの二番目の肢に対して２本の非平行な回転軸周りで関節運動させるジョイント機構を含んで構成されたロボットアームであって、該ジョイント機構が、
第一の回転軸を有する第一の回転ジョイントによって前記一番目の肢に取り付けられて、第二の回転軸を有する第二の回転ジョイントによって前記二番目の肢に取り付けられた中間キャリアと、
前記第一の回転軸周りに配置されて、前記中間キャリアに固定された第一の駆動ギアと、
前記第二の回転軸周りに配置されて、前記二番目の肢に固定された第二の駆動ギアと、  前記第一の駆動ギアを駆動して前記第一の回転軸周りで回転させる第一の駆動シャフトであって、前記一番目の肢に沿って延びると共に第一のシャフトギアを有しており、該第一のシャフトギアが該第一の駆動ギアと係合するようになっている第一の駆動シャフトと、
前記第二の駆動ギアを駆動して前記第二の回転軸周りで回転させる第二の駆動シャフトであって、第二のシャフトギアを有し、前記第二の回転軸を含む平面の一方の側で前記一番目の肢に沿って延びると共に該平面を通過して該平面の他方の側へ延びる第二の駆動シャフトと、
前記平面の前記他方の側で前記第二の駆動シャフトと噛合すると共に第二のシャフトギアを前記第二の駆動ギアに連結する中間連結部と
を、含んで構成されていることを特徴とするロボットアーム。
【請求項２】
前記第二の駆動シャフトが可撓性エレメントを含んで構成されている請求項１に記載のロボットアーム。
【請求項３】
前記可撓性エレメントが前記第一の回転軸上に配置される請求項２に記載のロボットアーム。
【請求項４】
前記可撓性エレメントがユニバーサルジョイントである請求項２または３に記載のロボットアーム。
【請求項５】
前記第二の駆動シャフトが、前記平面の前記他方の側で回転ジョイントによって前記中間キャリアに連結されている請求項１〜４の何れか１項に記載のロボットアーム。
【請求項６】
前記平面の前記他方の側に前記第二のシャフトギアが位置していると共に、前記中間連結部が中間シャフトを含んで構成されており、該中間シャフトが、該第二のシャフトギアと噛合する第一の中間ギアと、前記第二の駆動ギアと噛合する第二の中間ギアとを有している一方、該第二の駆動シャフトが前記第二の回転軸に垂直な軸周りで回転するようになっている請求項１〜４の何れか１項に記載のロボットアーム。
【請求項７】
前記第二の中間ギアがウォームギアである請求項６に記載のロボットアーム。
【請求項８】
前記第一のシャフトギアがウォームギアである請求項１〜７の何れか１項に記載のロボットアーム。
【請求項９】
前記第一および第二の駆動ギアの一方または両方がべベルギアである請求項１〜８の何れか１項に記載のロボットアーム。
【請求項１０】
前記第一および第二の駆動ギアの一方または両方が斜行軸ギアである請求項１〜９の何れか１項に記載のロボットアーム。
【請求項１１】
前記第一の駆動ギアが部分円形ギアである請求項１〜１０の何れか１項に記載のロボットアーム。
【請求項１２】
前記第二の駆動ギアの少なくとも一部が、前記第一の駆動ギアの半径方向最外側部分と一致する前記第一の回転軸周りの円と交差している請求項１１に記載のロボットアーム。
【請求項１３】
前記第一および第二の回転軸が直交していると共に互いに交差している請求項１〜１２の何れか１項に記載のロボットアーム。
【請求項１４】
前記第一および第二の駆動シャフトを駆動して回転させることによって、前記ロボットアームの回転を命令するコマンド信号に応答するようになっている制御ユニットを更に含んで構成されており、該制御ユニットが、該ロボットアームが前記第二の回転軸周りで関節運動することなく前記第一の回転軸周りで関節運動するように命令されたときに、該第一の駆動シャフトを駆動して回転させ、該第一の回転軸周りの関節運動を引き起こすと共に該第二の駆動シャフトを駆動して、該第二の回転軸周りの寄生関節運動を打ち消すように回転させるように構成されている請求項１〜１３の何れか１項に記載のロボットアーム。
【請求項１５】
前記第一および第二の駆動シャフトを駆動して回転させることによって、前記ロボットアームの回転を命令するコマンド信号に応答するようになっている制御ユニットを更に含んで構成されており、該制御ユニットが、前記二番目の肢が前記一番目の肢に対して前記第一の回転軸周りで関節運動している際に、該ロボットアームが前記第二の回転軸周りで関節運動するよう命令されたとき、該第二の駆動シャフトを駆動して回転させ、該第二の回転軸周りの滑らかな回転を供給するように、該第二の回転軸周りの関節運動を引き起こすように構成されている請求項１〜１４の何れか１項に記載のロボットアーム。
【手続補正書】
【提出日】平成30年12月5日(2018.12.5)
【手続補正１】
【補正対象書類名】特許請求の範囲
【補正対象項目名】全文
【補正方法】変更
【補正の内容】
【特許請求の範囲】
【請求項１】
大腿骨または脛骨と結合するように構成された基準装置であって、慣性センサを備える基準装置と、
大腿骨または脛骨と結合されるように構成された手術用配向装置であって、慣性センサを備える手術用配向装置と、
前記手術用配向装置または前記基準装置の１つまたは複数の慣性センサから測定値を収集するとともに、前記１つまたは複数の慣性センサからの測定値を脛骨−大腿骨運動力学情報に変換するための計算を行うように構成されたプロセッサと、
前記基準装置は力学的軸を計算するように構成されており、前記手術用配向装置は、前記基準装置と通信するとともに、前記計算された力学的軸に対する前記手術用配向装置の角度を表示するシステム。
【請求項２】
前記プロセッサは、前記脛骨−大腿骨運動力学情報を脛骨−大腿骨運動力学目標値と比較する機能、及び前記脛骨−大腿骨運動力学情報及び前記脛骨−大腿骨運動力学目標値の一方または両方に対応する出力をユーザに送る機能のうちの、１つ又は複数を行うように構成されている請求項１に記載のシステム。
【請求項３】
前記脛骨と前記大腿骨との間に配置されるように構成されたインプラントをさらに備える請求項１に記載のシステム。
【請求項４】
前記インプラントは、前記脛骨と前記大腿骨との間に配置されるように構成された複数の脛骨トライアルコンポーネントのうちの１つをさらに備える請求項３に記載のシステム。
【請求項５】
前記手術用配向装置は、各方向において可能となる脛骨−大腿骨回転を測定するために外科医が内反トルクおよび外反トルクを交互に膝に加えたときに内反回転または外反回転を図式的に表示するように構成されており、それによってユーザ出力は軟部組織のリリースにより内反弛緩と外反弛緩とを均衡にするという従来の目標に向けた内反弛緩と外反弛緩とを定量的に比較する手段を提供する請求項１に記載のシステム。
【請求項６】
前記手術用配向装置は、ユーザインターフェースを備える請求項１に記載のシステム。
【請求項７】
前記手術用配向装置は、各方向において可能となる脛骨−大腿骨回転を測定するために外科医が内反トルクと外反トルクとを交互に膝に加えたときに内反回転または外反回転を図式的に表示するように構成されている請求項１に記載のシステム。
【請求項８】
前記手術用配向装置は、力が膝に加えられたときに内反回転または外反回転を図式的に表示するように構成されている請求項１に記載のシステム。
【請求項９】
前記手術用配向装置は、前記脛骨−大腿骨運動力学情報を図式的に表示するとともに、１つまたは複数のトライアル曲線を術前曲線に重ね合わせるように構成されている請求項１に記載のシステム。
【請求項１０】
前記基準装置及び前記手術用配向装置のうちの少なくとも１つは、前記脛骨に結合されるように構成されている請求項１に記載のシステム。
【請求項１１】
前記基準装置及び前記手術用配向装置のうちの少なくとも１つは、前記大腿骨に結合されるように構成されている請求項１に記載のシステム。
【請求項１２】
前記プロセッサは、転送アライメントの機能を行うように構成されている請求項１に記載のシステム。
【請求項１３】
前記システムは、健康な膝の値に基づく目標値のセットを備えており、前記プロセッサは、前記セットの目標値を前記脛骨−大腿骨運動力学情報と比較するように構成されている請求項１に記載のシステム。
【請求項１４】
前記システムは、患者から得られた運動力学測定値に基づく目標値のセットを備えており、前記プロセッサは、前記セットの目標値を前記患者からの脛骨−大腿骨運動力学情報と比較するように構成されている請求項１に記載のシステム。
【請求項１５】
前記基準装置または前記手術用配向装置は、加速度計およびジャイロスコープを備える請求項１に記載のシステム。
【請求項１６】
前記プロセッサは、膝関節の第一回転方向における弛緩を前記膝関節の第二回転方向における弛緩と比較する機能を行うように構成されている請求項１に記載のシステム。
【請求項１７】
前記プロセッサは、完全に伸展した状態における、又は膝を曲げることができる任意の別の角度における、膝関節の弛緩を定量化する機能を行うように構成されている請求項１に記載のシステム。
【請求項１８】
前記プロセッサは、脛骨−大腿骨運動力学を表す前記手術用配向装置または前記基準装置の少なくとも１つの慣性センサの出力に基づく値を、屈曲、軸方向回転、および／または内反外のうちの１つまたは複数に対する脛骨−大腿骨運動力学目標値と比較をするように構成されている請求項１に記載のシステム。
【請求項１９】
前記比較は、前記慣性センサの出力に基づく値と、健康な膝に対する値のモデルとの比較をさらに備える請求項１８に記載のシステム。
【請求項２０】
前記比較は、前記慣性センサの出力に基づく値と、１つまたは複数の患者固有値との比較をさらに含む請求項１８に記載のシステム。
【請求項２１】
前記脛骨を切除する前に、前記プロセッサは、膝の脛骨−大腿骨運動力学の患者固有値を記録するように構成されている請求項１８に記載のシステム。
【請求項２２】
前記脛骨を切除する前に、前記プロセッサは、反対側膝の脛骨−大腿骨運動力学の患者固有値を記録するように構成されている請求項１８に記載のシステム。
【請求項２３】
前記プロセッサは、内反弛緩と外反弛緩とを定量的に比較するように構成されている請求項１８に記載のシステム。
【請求項２４】
前記プロセッサは、前記慣性センサの少なくとも１つからの測定値に基づく情報を、脛骨−大腿骨運動力学の目標値と比較するように構成されている請求項１に記載のシステム。
【手続補正書】
【提出日】令和1年8月23日(2019.8.23)
【手続補正１】
【補正対象書類名】特許請求の範囲
【補正対象項目名】全文
【補正方法】変更
【補正の内容】
【特許請求の範囲】
【請求項１】
回転ガントリと、
前記回転ガントリに設置され、かつ荷電粒子ビームの軌道を偏向する偏向磁場と、前記荷電粒子ビームを収束する収束磁場の少なくとも一方を形成して、前記荷電粒子ビームを照射対象に導く超伝導電磁石と、
前記回転ガントリを回転駆動する回転ガントリ駆動部と、
前記超伝導電磁石が励磁されていてかつ前記荷電粒子ビームが照射されていないときに、前記回転ガントリを回転させて停止させるように前記回転ガントリ駆動部を制御する制御装置と、
を備えることを特徴とする回転照射装置。
【請求項２】
前記制御装置は、
前記超伝導電磁石への電磁石電源による励磁タイミングを制御する電磁石電源制御部と、
前記荷電粒子ビームの出射のオン、オフを制御する照射制御部と、
前記回転ガントリの回転および停止の動作を行わせるように前記回転ガントリ駆動部を制御する回転ガントリ駆動制御部と、
を備えることを特徴とする請求項１に記載の回転照射装置。
【請求項３】
前記超伝導電磁石、前記電磁石電源、及び前記電磁石電源制御部を互いに接続する信号線をさらに備えること、を特徴とする請求項２に記載の回転照射装置。
【請求項４】
前記電磁石電源制御部は、前記超伝導電磁石の励磁量を複数段階に切替可能としたことを特徴とする請求項２又は３に記載の回転照射装置。
【請求項５】
前記電磁石電源制御部は、前記超伝導電磁石の励磁量を次の照射時の励磁量に制御することを特徴とする請求項２ないし４のいずれか一項に記載の回転照射装置。
【請求項６】
前記荷電粒子ビームの照射タイミング、前記超伝導電磁石の励磁量及び励磁タイミング、前記回転ガントリの回転オン、オフ動作のタイミングの各データが記録されたデータ記憶部をさらに備え、このデータ記憶部は、前記荷電粒子ビームの照射前に前記制御装置に前記データを出力することを特徴とする請求項１に記載の回転照射装置。
【請求項７】
請求項１ないし６のいずれか一項に記載の回転照射装置を有することを特徴とする回転照射治療装置。
【請求項８】
回転ガントリに設置され、かつ荷電粒子ビームの軌道を偏向する偏向磁場と、前記荷電粒子ビームを収束する収束磁場の少なくとも一方を形成する超伝導電磁石で前記荷電粒子ビームを照射対象に導く回転照射方法であって、
制御装置が、前記超伝導電磁石を励磁するように制御する工程と、
前記制御装置が、所定の時間に前記荷電粒子ビームの照射を行うように制御する工程と、
前記超伝導電磁石が励磁されている状態で、かつ前記荷電粒子ビームが照射されていないときに、前記制御装置が、前記回転ガントリを回転させて停止させるように回転ガントリ駆動部を制御する工程と、
を備えていることを特徴とする回転照射方法。
【手続補正２】
【補正対象書類名】明細書
【補正対象項目名】００１１
【補正方法】変更
【補正の内容】
【００１１】
上記課題を解決するために、本実施形態に係る回転照射装置は、回転ガントリと、前記
回転ガントリに設置され、かつ荷電粒子ビームの軌道を偏向する偏向磁場と、前記荷電粒子ビームを収束する収束磁場の少なくとも一方を形成して、前記荷電粒子ビームを照射対象に導く超伝導電磁石と、前記回転ガントリを回転駆動する回転ガントリ駆動部と、前記超伝導電磁石が励磁されていてかつ前記荷電粒子ビームが照射されていないときに、前記回転ガントリを回転させて停止させるように前記回転ガントリ駆動部を制御する制御装置と、を備えることを特徴とする。
【手続補正３】
【補正対象書類名】明細書
【補正対象項目名】００１３
【補正方法】変更
【補正の内容】
【００１３】
本実施形態の回転照射方法は、回転ガントリに設置され、かつ荷電粒子ビームの軌道を偏向する偏向磁場と、前記荷電粒子ビームを収束する収束磁場の少なくとも一方を形成する超伝導電磁石で前記荷電粒子ビームを照射対象に導く回転照射方法であって、制御装置が、前記超伝導電磁石を励磁するように制御する工程と、前記制御装置が、所定の時間に前記荷電粒子ビームの照射を行うように制御する工程と、前記超伝導電磁石が励磁されている状態で、かつ前記荷電粒子ビームが照射されていないときに、前記制御装置が、前記回転ガントリを回転させて停止させるように回転ガントリ駆動部を制御する工程と、を備えていることを特徴とする。
【手続補正４】
【補正対象書類名】明細書
【補正対象項目名】００４１
【補正方法】変更
【補正の内容】
【００４１】
そして、照射制御部２３は、荷電粒子ビームの出射のオン、オフを制御してビーム生成部２６から電磁石電源２５の励磁量ｎで荷電粒子ビームを出射する（ステップＳ３）。この励磁状態を維持した状態で、回転ガントリ駆動制御部２１は、回転ガントリ駆動部２４のオン、オフ動作の各タイミングを制御して回転ガントリ３をさらに別の照射位置であるｍ＋２照射位置に回転駆動させる（ステップＳ４）。
【手続補正書】
【提出日】令和1年5月10日(2019.5.10)
【手続補正１】
【補正対象書類名】明細書
【補正対象項目名】００２７
【補正方法】変更
【補正の内容】
【００２７】
監視装置１には通信線を介して報知装置４が接続されており、監視装置１は取得したタイヤ空気圧の情報を示す信号を報知装置４へ出力する。報知装置４は監視装置１から出力された当該信号を受信し、各タイヤ３の空気圧を報知する。監視装置１は、タイヤ３の空気圧が所定の閾値未満である場合、タイヤ空気圧の異常を通知するための異常通知信号を報知装置４へ出力し、空気圧の異常を運転者に通知する。
【手続補正２】
【補正対象書類名】明細書
【補正対象項目名】００６６
【補正方法】変更
【補正の内容】
【００６６】
このように構成されたタイヤ空気圧監視システムにおいては、イグニッションスイッチ８がオフ状態からオン状態になった場合、監視装置１は、各タイヤ３の検出装置２との通信状態を確認する。仮に、空気圧信号の応答が無い検出装置２があった場合であっても、車両Ｃが走行を開始し、僅かでもタイヤ３が回転すると、検出装置２は通信不能域を脱することができる可能性があるため、監視装置１は、警告を行う代わりに空気圧の監視を走行開始後に開始することを通知する。そして、車両Ｃの走行開始後においても監視装置１及び検出装置２の通信が正常に行われない場合、検出装置２が故障している可能性が高い。この場合、監視装置１は、故障警告信号を報知装置４へ出力し、検出装置２が故障している可能性がある旨を通知する。
以上の通り、監視装置１は、検出装置２との通信異常があっても、走行開始前の状態においては、運転者に不安を与えるような警告を避け、走行開始後に空気圧の監視が開始されることを運転者に通知することができる。
また、検出装置２に異常が無ければ、走行開始後、直ちにタイヤ空気圧の監視を開始し、タイヤ３の空気圧の状態を通知することができる。
更に、監視装置１は、走行開始後も監視装置１及び検出装置２の通信に異常がある場合、検出装置２に異常がある可能性がある旨を報知することができる。
【手続補正書】
【提出日】令和1年7月26日(2019.7.26)
【手続補正１】
【補正対象書類名】明細書
【補正対象項目名】００５５
【補正方法】変更
【補正の内容】
【００５５】
「消耗品」タブが選択された状態の通知画面（図６参照）には、車両１に搭載された消耗品が一覧表示される。図示の例では、エンジンオイル、オイルフィルター、エアコンフィルター及びワイパーブレードゴムの４つの消耗品についての情報が一覧表示されている。また図示の例では、エンジンオイルに関する情報として「交換まで：１８７７ｋｍ又は２ヵ月」及び「交換時期：２０１７年４月１日」の情報が表示され、オイルフィルターに関する情報として「交換まで：次回オイル交換」及び「交換時期：２０１７年４月１日」の情報が表示され、エアコンフィルターに関する情報として「交換まで：１５００ｋｍ」及び「交換時期：２０１７年４月頃」の情報が表示され、ワイパーブレードゴムに関する情報として「交換まで：４ヶ月」及び「交換時期：２０１７年６月頃」の情報が表示されている。これらの表示は、車両１に搭載されている多数の消耗品の一部であり、ユーザは通知画面に対して上下方向へのスクロール操作を行うことによって他の消耗品に関する情報を表示させることができる。また各消耗品に対しては、交換までの走行距離又は期間と、交換時期との情報が付されるが、これらの情報は交換時期判定部６２の判定結果に基づくものである。なお本実施の形態においては、車両消耗品管理システムの管理対象とする消耗品をユーザが選択することが可能であるが、「消耗品」のタブの通知画面では管理対象として選択された消耗品が一覧表示され、管理対象として選択されていない消耗品は一覧表示に含まれない。
【手続補正書】
【提出日】平成31年3月12日(2019.3.12)
【手続補正１】
【補正対象書類名】特許請求の範囲
【補正対象項目名】全文
【補正方法】変更
【補正の内容】
【特許請求の範囲】
【請求項１】
自動運転モードで走行している車両の運転モードを手動運転モードに切り替えるまでのカウントダウンの状態を表示するための装置であって、
前記車両の運転者の視線方向を検出する検出部と、
前記車両のフロントガラス上の、前記検出部によって検出された視線方向を遮らない部位に、前記カウントダウンの状態を示すインジケータが表示されるように制御する表示制御部とを備え、
前記インジケータは、前記視線方向を中心とし、前記視線方向を囲むように配置されたドーナッツ形状をしており、
前記表示制御部は、前記カウントダウンの開始時には、前記ドーナッツ形状のインジケータが表示され、前記カウントダウンの終了時には前記インジケータが表示されなくなるように、前記カウントダウンの進行に従って、前記ドーナッツ形状における円環部位が徐々に非表示となるように制御する、表示装置。
【請求項２】
前記表示制御部は、前記車両のフロントガラス上の、前記検出部によって検出された視線方向を遮らない部位であって、かつ、前記フロントガラス上における前記視線方向との交点からの所定距離内に、前記インジケータが表示されるように制御する、請求項１に記載の表示装置。
【請求項３】
前記検出部によって前記視線方向が変化したことが検出されると、前記表示制御部は、前記フロントガラス上の前記インジケータの位置が、前記変化に応じて変化するように制御する、請求項１に記載の表示装置。
【請求項４】
自動運転モードで走行している車両の運転モードを手動運転モードに切り替えるまでのカウントダウンの状態を表示するための装置であって、
前記車両の運転者の視線方向を検出する検出部と、
前記車両のフロントガラスと、前記運転者との間に設けられた表示パネルと、
前記表示パネル上の、前記検出部によって検出された視線方向を遮らない部位に、前記カウントダウンの状態を示すインジケータが表示されるように制御する表示制御部とを備え、
前記インジケータは、前記視線方向を中心とし、前記視線方向を囲むように配置されたドーナッツ形状をしており、
前記表示制御部は、前記カウントダウンの開始時には、前記ドーナッツ形状のインジケータが表示され、前記カウントダウンの終了時には前記インジケータが表示されなくなるように、前記カウントダウンの進行に従って、前記ドーナッツ形状における円環部位が徐々に非表示となるように制御する、表示装置。
【請求項５】
前記表示制御部は、前記表示パネル上における前記視線方向との交点からの所定距離内に、前記インジケータが表示されるように制御する、請求項４に記載の表示装置。
【請求項６】
前記検出部によって前記視線方向が変化したことが検出されると、前記表示制御部は、前記表示パネル上の前記インジケータの位置が、前記変化に応じて変化するように制御する、請求項４に記載の表示装置。
【請求項７】
前記検出部は、前記運転者を撮像するカメラであり、
前記カメラによって撮像された映像情報から、前記視線方向を判定する判定部をさらに備えた、請求項１乃至６のうち何れか１項に記載の表示装置。
【請求項８】
前記インジケータを投影表示するプロジェクタを備え、
前記表示制御部は、前記プロジェクタを制御する、請求項１乃至７のうち何れか１項に記載の表示装置。
【請求項９】
前記インジケータは、前記カウントダウンの状態を示す数値表示を含む、請求項１乃至８のうち何れか１項に記載の表示装置。
【請求項１０】
自動運転モードで走行している車両の運転モードを手動運転モードに切り替えるまでのカウントダウンの状態を表示するための方法であって、 
前記車両の運転者の視線方向を検出し、
前記車両のフロントガラス上の、前記検出された視線方向を遮らない部位に、前記カウントダウンの状態を示すインジケータが表示されるように制御することを含み、
前記インジケータは、前記視線方向を中心とし、前記視線方向を囲むように配置されたドーナッツ形状をしており、
前記制御することは、前記カウントダウンの開始時には、前記ドーナッツ形状のインジケータが表示され、前記カウントダウンの終了時には前記インジケータが表示されなくなるように、前記カウントダウンの進行に従って、前記ドーナッツ形状における円環部位が徐々に非表示となるように制御することを含む、表示方法。
【請求項１１】
自動運転モードで走行している車両の運転モードを手動運転モードに切り替えるまでのカウントダウンの状態を表示するための方法であって、
前記車両の運転者の視線方向を検出し、
前記車両のフロントガラスと、前記運転者との間に設けられた表示パネル上の、前記検出された視線方向を遮らない部位に、前記カウントダウンの状態を示すインジケータが表示されるように制御することを含み、
前記インジケータは、前記視線方向を中心とし、前記視線方向を囲むように配置されたドーナッツ形状をしており、
前記制御することは、前記カウントダウンの開始時には、前記ドーナッツ形状のインジケータが表示され、前記カウントダウンの終了時には前記インジケータが表示されなくなるように、前記カウントダウンの進行に従って、前記ドーナッツ形状における円環部位が徐々に非表示となるように制御することを含む、表示方法。
【手続補正書】
【提出日】平成31年4月15日(2019.4.15)
【手続補正１】
【補正対象書類名】特許請求の範囲
【補正対象項目名】全文
【補正方法】変更
【補正の内容】
【特許請求の範囲】
【請求項１】
自動運転モードで走行している車両の運転モードを手動運転モードに切り替えるまでのカウントダウンの状態を表示するための表示装置であって、
前記車両内において、運転者よりも前方側に配置された複数の光源と、
前記カウントダウンの開始時に、前記複数の光源を点灯させ、前記点灯された複数の光源が、前記カウントダウンの終了時にはすべて消灯しているように、前記点灯された複数の光源を、前記カウントダウンの進行に従って所定個数ずつ消灯させるように制御する制御部とを備え、
前記複数の光源は、前記車両の２つのＡピラーのうちの少なくとも１つのＡピラーに、前記Ａピラーの長さ方向に沿って配置された、表示装置。
【請求項２】
前記制御部は、前記カウントダウンの開始時に、前記複数の光源を、点灯させることに代えて、点滅させるように制御する、請求項１に記載の表示装置。
【請求項３】
前記制御部は、前記所定個数の光源が消灯された場合、点灯されている他の光源の色を変化させるように制御する、請求項１または２に記載の表示装置。
【請求項４】
前記複数の光源は、予め設定された複数のグループのうちの何れかに属するように予め分類され、前記制御部は、同一のグループに属する光源は同じ色で、異なるグループに属する光源は異なる色で点灯するように制御する、請求項１乃至３のうち何れか１項に記載の表示装置。
【請求項５】
前記制御部は、前記点灯された複数の光源を、前記カウントダウンの進行に従って所定個数ずつ消灯させる場合、上方側の光源から消灯するように制御する、請求項１に記載の表示装置。
【請求項６】
自動運転モードで走行している車両の運転モードを手動運転モードに切り替えるまでのカウントダウンの状態を表示するための表示方法であって、
前記車両内において、運転者よりも前方側に複数の光源を配置し、
前記カウントダウンの開始時に、前記複数の光源を点灯させ、
前記点灯された複数の光源が、前記カウントダウンの終了時にはすべて消灯しているように、前記点灯された複数の光源を、前記カウントダウンの進行に従って所定個数ずつ消灯させ、
前記複数の光源は、前記車両の２つのＡピラーのうちの少なくとも１つのＡピラーに、前記Ａピラーの長さ方向に沿って配置された、表示方法。
【手続補正書】
【提出日】平成30年11月29日(2018.11.29)
【手続補正１】
【補正対象書類名】特許請求の範囲
【補正対象項目名】全文
【補正方法】変更
【補正の内容】
【特許請求の範囲】
【請求項１】
複数のオブジェクトの組を示す組情報を用いるゲームであって、前記組情報から抽出されたオブジェクトを参照して進行するゲームを実行させるための処理を行う第１の端末装置から、第１のユーザに対応付けられた前記組情報を取得する組取得部と、
前記組取得部が取得した前記組情報を第１記憶部に記憶させる記憶制御部と、
前記組情報に関連する出力要求を、第２のユーザに対応する第２の端末装置から受け付ける組要求受付部と、
前記第１記憶部に記憶された前記組情報に基づいて、前記出力要求に対応する前記組情報及び／又は当該組情報に関連する情報を出力させる出力制御部と、
を備えるサーバ装置。
【請求項２】
前記出力制御部は、
前記第１記憶部に記憶された前記組情報と前記第２のユーザに対応付けられた前記組情報との比較に基づいて、前記第１記憶部に記憶された前記組情報のうちから、少なくとも一つの前記組情報を、前記出力要求に対応する前記組情報として抽出し、
抽出された前記組情報及び／又は当該組情報に関連する情報を出力させる
請求項１に記載のサーバ装置。
【請求項３】
前記出力制御部は、
前記第１記憶部に記憶された前記組情報が示すオブジェクトと、前記第２のユーザに対応付けられたオブジェクトとの比較に基づいて、前記第１記憶部に記憶された前記組情報のうちから、少なくとも一つの前記組情報を、前記出力要求に対応する前記組情報として抽出し、
抽出された前記組情報及び／又は当該組情報に関連する情報を出力させる
請求項１に記載のサーバ装置。
【請求項４】
前記出力制御部は、
前記第１記憶部に記憶された前記組情報のうちから、所定数の前記組情報を、前記出力要求に対応する前記組情報としてランダムに抽出し、
ランダムに抽出された前記組情報及び／又は当該組情報に関連する情報を出力させる
請求項１に記載のサーバ装置。
【請求項５】
前記ゲームでは、所定の規則に満たしていない前記組情報の利用が制限され、
前記第１記憶部に記憶された前記組情報のうちには、前記所定の規則を満たしていない前記組情報が含まれている場合があり、
前記出力制御部は、前記出力要求に対応する前記組情報及び／又は当該組情報に関連する情報を、当該組情報が前記所定の規則を満たしているか否かに基づいて出力させる
請求項１から請求項４のいずれか一項に記載のサーバ装置。
【請求項６】
前記ゲームでは、所定の規則を満たしていない前記組情報の利用が制限され、
前記第１記憶部に記憶された前記組情報のうちには、前記所定の規則を満たしていない前記組情報が含まれている場合があり、
前記出力制御部は、
前記第１記憶部に記憶された前記組情報のうちから、前記所定の規則を満たしている前記組情報を、前記出力要求に対応する組情報として抽出し、
抽出された前記組情報及び／又は当該組情報に関連する情報を出力させる
請求項１に記載のサーバ装置。
【請求項７】
前記出力制御部は、前記出力要求に対応する前記組情報が示すオブジェクトのうちに、前記第２のユーザに対応付けられていないオブジェクトが含まれている場合に、当該オブジェクトを取得可能な場所又は方法に関する情報を出力させる
請求項１から請求項６のいずれか一項に記載のサーバ装置。
【請求項８】
前記組要求受付部は、複数の第２の端末装置の各々から前記出力要求を受け付けることが可能であり、
前記出力制御部は、前記複数の第２の端末装置のうちのいずれかの第２の端末装置から受け付けた前記出力要求に応じて、当該出力要求に対応する前記組情報及び／又は当該組情報に関連する情報を、当該第２の端末装置の表示部に表示させ、
前記サーバ装置は、前記組情報及び／又は当該組情報に関連する情報の表示回数が所定回数を超えた場合に、当該組情報及び／又は当該組情報に関連する情報を前記第２の端末装置の表示部に表示させることを制限する制限部をさらに備える
請求項１から請求項７のいずれか一項に記載のサーバ装置。
【請求項９】
複数のオブジェクトの組を示す組情報を用いるゲームであって、前記組情報から抽出されたオブジェクトを参照して進行するゲームを実行させるための制御を行うゲーム実行部と、
前記ゲーム実行部により利用可能な前記組情報を編集させる組編集部と、
前記組編集部が編集した前記組情報に関連する情報を、サーバ装置に送信する組送信部と、
他の情報処理装置の前記組編集部が編集した前記組情報に関連する出力要求を、前記サーバ装置に送信する出力要求送信部と、
を備える情報処理装置。
【請求項１０】
コンピュータを、請求項１から請求項８のいずれか一項に記載のサーバ装置又は請求項９に記載の情報処理装置として機能させるためのプログラム。
【手続補正書】
【提出日】令和1年6月27日(2019.6.27)
【手続補正１】
【補正対象書類名】特許請求の範囲
【補正対象項目名】全文
【補正方法】変更
【補正の内容】
【特許請求の範囲】
【請求項１】
付与候補として登録された複数のゲームオブジェクトの中からユーザに付与されたゲームオブジェクトに関連付けられた、ゲームが行われる仮想世界での当該ゲームオブジェクトの動作に影響する第１パラメータと、ユーザの識別情報に関連付けられる報酬に影響する第２パラメータと、を取得するパラメータ取得手段と、
前記仮想世界で前記ゲームオブジェクトを動作させる場合、前記取得された当該ゲームオブジェクトに関連付けられた前記第１パラメータに基づいて、当該仮想世界で当該ゲームオブジェクトを動作させる動作制御手段と、
前記ゲームオブジェクトが用いられることを条件として、前記取得された当該ゲームオブジェクトに関連付けられた前記第２パラメータに基づいて、前記報酬を決定する報酬決定手段と、
前記付与候補として登録された前記複数のゲームオブジェクトのうち少なくとも１つと同じ名前が設定されたゲームオブジェクトを、新たなゲームオブジェクトとして前記付与候補に追加する手段であって、前記第２パラメータのみを向上させた前記新たなゲームオブジェクトを、前記付与候補に追加するゲームオブジェクト追加手段と、
を含むことを特徴とするゲームシステム。
【請求項２】
前記ゲームシステムは、  前記ゲームが行われる前記仮想世界の様子を示す仮想世界画像を表示手段に表示させる表示制御手段と、  前記表示手段に前記仮想世界画像が表示された状態で、前記ユーザによる操作を受け付ける操作受付手段と、  を更に含み、  前記動作制御手段は、前記ユーザの操作に応じて、前記ゲームオブジェクトに関連付けられた前記第１パラメータに基づいて、前記仮想世界で当該ゲームオブジェクトを動作させる、  ことを特徴とする請求項１に記載のゲームシステム。    
【請求項３】
前記動作制御手段は、前記ゲームオブジェクトに関連付けられた前記第２パラメータに基づくことなく、前記仮想世界で当該ゲームオブジェクトを動作させる、  ことを特徴とする請求項１又は２に記載のゲームシステム。    
【請求項４】
前記ゲームシステムは、前記ゲームオブジェクトを動作させることで得られる前記ゲームの結果を取得する結果取得手段を更に含み、  前記報酬決定手段は、前記第２パラメータと前記ゲームの結果とに基づいて、前記報酬を決定する、  ことを特徴とする請求項１〜３の何れか１に記載のゲームシステム。    
【請求項５】
請求項１〜４の何れか１に記載のゲーム制御装置としてコンピュータを機能させるためのプログラム。
【手続補正書】
【提出日】平成31年1月17日(2019.1.17)
【手続補正１】
【補正対象書類名】特許請求の範囲
【補正対象項目名】全文
【補正方法】変更
【補正の内容】
【特許請求の範囲】
【請求項１】
加湿装置用のセンサーカートリッジモジュールであって、
前記センサーカートリッジモジュールを加湿装置に電気的に接続するように構成された電気コネクタと、
前記センサーカートリッジモジュールに取り付けられた少なくとも第１および第２のセンサーと、
を備えたセンサーカートリッジモジュール。
【請求項２】
前記第１および第２のセンサーが横方向に離れていること、および/または、  第１および第２のセンサーが各々温度センサーを含むこと、という構成を具備する、請求項１に記載のセンサーカートリッジモジュール。
【請求項３】
流れセンサーを備えた第３のセンサーを含む、請求項１または２に記載のセンサーカートリッジモジュール。
【請求項４】
前記第３のセンサーが前記第２のセンサーに近接して設けられている、請求項３に記載のセンサーカートリッジモジュール。
【請求項５】
前記センサーがプローブに取り付けられている、請求項１から４のうちのいずれか一項に記載のセンサーカートリッジモジュール。
【請求項６】
前記センサーカートリッジモジュールを前記加湿装置に機械的に接続するための機械的コネクタを備えた、請求項１から５のうちのいずれか一項に記載のセンサーカートリッジモジュール。
【請求項７】
前記機械的コネクタが前記電気コネクタと少なくとも部分的に一体化されている、請求項６に記載のセンサーカートリッジモジュール。
【請求項８】
吸気導管に関連するヒーター線および／またはセンサー線に電気的に接続するように構成されている、請求項１から７のうちのいずれか一項に記載のセンサーカートリッジモジュール。
【請求項９】
請求項１から８のうちのいずれか一項に記載のセンサーカートリッジモジュールを備えた加湿装置。
【請求項１０】
加熱板を備えたヒーターベースを含み、前記加湿装置は、前記センサーが加湿チャンバに対して所定の位置に配置された状態で、前記加熱板上に前記加湿チャンバを受け入れるように構成されている、請求項９に記載の加湿装置。
【請求項１１】
前記加湿チャンバは入口ポートと出口ポートとを含み、前記第１のセンサーが前記入口ポートの第１センサーアパーチャ内に受け入れられるように配置され、前記第２のセンサーが前記出口ポートの第２センサーアパーチャ内に受け入れられるように配置されている、請求項１０に記載の加湿装置。
【請求項１２】
前記ヒーターベースが、前記センサーカートリッジモジュールを前記ヒーターベースに機械的および／または電気的に接続するためのヒーターベースコネクタを備えている、請求項１１に記載の加湿装置。
【請求項１３】
前記ヒーターベースは少なくとも部分的に垂直なスパインを含み、前記ヒーターベースコネクタは、前記センサーカートリッジモジュールが前記スパインを介して前記ヒーターベースに機械的および／または電気的に接続されるように前記スパインに設けられている、請求項１２に記載の加湿装置。
【請求項１４】
前記ヒーターベースコネクタは、前記センサーと前記ヒーターベースとの間で電力およびデータの伝送を提供する、請求項１２または１３に記載の加湿装置。
【請求項１５】
前記ヒーターベースコネクタの上方で前記スパイン上に配置されたディスプレイを備えた、請求項１３に記載の加湿装置。
【請求項１６】
前記ディスプレイは垂直からオフセットされている、請求項１５に記載の加湿装置。
【請求項１７】
前記入口ポートが供給導管に接続されるように構成され、前記出口ポートが吸気導管に接続されるように構成されている、請求項１１から１６のうちのいずれか一項に記載の加湿装置。
【請求項１８】
前記スパインおよび／または前記ディスプレイは、前記ディスプレイが不明瞭になるのを防止するように構成されている、請求項１５または１６に記載の加湿装置。
【請求項１９】
前記加湿チャンバの入口を前記供給導管に接続するとともに前記加湿チャンバの出口を前記吸気導管に接続するための加湿チャンバコネクタを備え、前記加湿チャンバコネクタは、前記ディスプレイの下端から前記ディスプレイに垂直に延びる平面の下方に設けられている、請求項１５または１６に従属する請求項１７に記載の加湿装置。
【請求項２０】
前記吸気導管に接続するための前記加湿チャンバコネクタは、エルボ形状を有する、請求項１９に記載の加湿装置。
【請求項２１】
前記センサーカートリッジモジュールは、
前記吸気導管内のガスの特性を感知するためにセンサーに電気的に接続されるように構成されていること、および／または、吸気導管に関連するヒーター線に電気的に接続されるように構成されていること
前記センサーカートリッジモジュールは、前記吸気導管と前記ヒーターベースとの間の電力および／またはデータ転送を提供する、
請求項１７、１９および２０のうちのいずれか一項に記載の加湿装置。
【請求項２２】
前記第１および第２のセンサーアパーチャに配置されたグロメットを備え、前記グロメットは前記第１および第２のセンサーアパーチャを空圧的にシールし、前記グロメットは前記第１および第２のセンサーを受け入れるようなサイズおよび形状を有し、前記グロメットは、前記第１および第２のセンサーを洗浄することなく再使用することを可能とするように、前記加湿チャンバに出入りするガスとの直接の接触から前記第１および第２のセンサーを保護するように構成されている、請求項１１から２１のうちのいずれか一項に記載の加湿装置。
【請求項２３】
前記加湿チャンバを備えた請求項１０から２２のうちのいずれか一項に記載の加湿装置。
【請求項２４】
前記吸気導管が、使い捨ての使用者端部の温度センサーと、当該温度センサーに関連する前記吸気導管に一体化されたセンサーケーブルとを備えている、請求項１７に記載の加湿装置。
【請求項２５】
前記センサーカートリッジモジュールは、前記吸気導管と前記ヒーターベースと前記ヒーター線との間の電力および／またはデータ転送をさらに提供する、請求項１９または２０に従属する請求項２１に記載の加湿装置。
【請求項２６】
前記吸気導管が、前記センサーカートリッジモジュールの対応する接続部に結合するための電気的な接続部を含む吸気導管チャンバ端部のコネクタを備える、請求項９から２５のうちのいずれか一項に記載の加湿装置。
【請求項２７】
前記センサーカートリッジモジュールに取り付けられた前記センサーは、前記加熱板の上面と平行に延びる、請求項１１、または請求項１１に従属する請求項１２から２６のうちのいずれか一項に記載の加湿装置。
【請求項２８】
前記センサーカートリッジモジュールに取り付けられた前記センサーは、前記加湿チャンバを前記センサーカートリッジモジュールにドッキングまたは結合させる全体的な挿入方向と平行に延びる、請求項２３に記載の加湿装置。
【手続補正書】
【提出日】平成31年4月4日(2019.4.4)
【手続補正１】
【補正対象書類名】特許請求の範囲
【補正対象項目名】全文
【補正方法】変更
【補正の内容】
【特許請求の範囲】
【請求項１】
パラメータによって定義されるプレイ媒体を通じてプレイされ、ゲーム結果に応じて前記パラメータの内容が変化するゲームを提供するゲームシステムであって、
前記ゲーム結果に応じて変化した後の変化後のパラメータの内容及び各プレイヤを特定するためのプレイヤ識別情報を含む再現用情報が記録媒体に記録されるように前記再現用情報を提供するデータ提供手段と、
プリンタと、を備え、
前記データ提供手段は、前記プリンタに対して、前記再現用情報に基づいて所定の規格に準拠して生成したコードと前記プレイヤ識別情報とは異なるプレイヤ区別情報とを含み、同じプレイヤに対応する前記プレイヤ識別情報をそれぞれ記録する複数の記録媒体が生成されるように提供する、
ことを特徴とするゲームシステム。
【手続補正書】
【提出日】平成30年11月28日(2018.11.28)
【手続補正１】
【補正対象書類名】特許請求の範囲
【補正対象項目名】全文
【補正方法】変更
【補正の内容】
【特許請求の範囲】
【請求項１】
ビデオゲームの進行を制御するビデオゲーム処理装置であって、
キャラクタが行動可能なステージの初期状態を示す初期情報と、当該ステージの進行状況を示す情報とを記憶する記憶手段に記憶された情報を、前記ビデオゲームの進行に応じて更新する第１更新手段と、
プレイヤの操作に基づいて、前記初期情報を用いるか、または前記ステージの進行状況を示す情報を用いるかを判定する判定手段と、
該判定手段による判定結果に対応する情報を用いて、プレイヤにより選択されたステージにおけるゲームを進行させる進行手段とを含み、
該進行手段は、前記判定手段が前記初期情報を用いると判定した場合、前記プレイヤが操作するキャラクタに関する情報は変更しない、または前記ビデオゲームの本編に影響する情報は更新しない
ことを特徴とするビデオゲーム処理装置。
【請求項２】
前記判定手段により前記ステージの進行状況を示す情報を用いると判定された場合に、当該情報を用いたビデオゲームの進行に応じて当該ビデオゲームに登場するキャラクタに関する情報を更新する第２更新手段を含む
請求項１記載のビデオゲーム処理装置。
【請求項３】
前記記憶手段は、前記ステージに設定されたイベントを含み、
前記第１更新手段は、前記イベントが攻略されたか否かが識別可能となるように前記記憶手段に記憶された情報を更新する
請求項１または請求項２記載のビデオゲーム処理装置。
【請求項４】
ビデオゲームの進行を制御するビデオゲーム処理装置に動作制御させるためのビデオゲーム処理プログラムであって、
前記ビデオゲーム処理装置に、
キャラクタが行動可能なステージの初期状態を示す初期情報と、当該ステージの進行状況を示す情報とを記憶する記憶手段に記憶された情報を、前記ビデオゲームの進行に応じて更新する第１更新処理と、
プレイヤの操作に基づいて、前記初期情報を用いるか、または前記ステージの進行状況を示す情報を用いるかを判定する判定処理と、
該判定処理による判定結果に対応する情報を用いて、プレイヤにより選択されたステージにおけるゲームを進行させる進行処理とを実行させ、
該進行処理では、前記判定処理にて前記初期情報を用いると判定した場合、前記プレイヤが操作するキャラクタに関する情報は変更しない、または前記ビデオゲームの本編に影響する情報は更新しない処理を
実行させるためのビデオゲーム処理プログラム。
【手続補正書】
【提出日】平成31年3月12日(2019.3.12)
【手続補正１】
【補正対象書類名】特許請求の範囲
【補正対象項目名】全文
【補正方法】変更
【補正の内容】
【特許請求の範囲】
【請求項１】
車両の運転者を監視するセンサから画像データを取得する監視データ取得部と、
前記画像データと対象の位置情報とを用いて、前記車両の左側または右側に位置する前記対象に対する前記運転者の認知度合を検出する状態検出部と、
前記車両の運転モードが自動運転モードである場合、前記画像データから第１の指標群を構成する前記運転者の状態に含まれる１以上の指標に基づいて前記運転者の第１の運転集中度を推定し、前記運転モードが手動運転モードである場合、前記画像データから前記第１の指標群とは異なる第２の指標群を構成し、前記第１の指標群に含まれない前記認知度合を含む前記運転者の状態に含まれる１以上の指標に基づいて前記運転者の第２の運転集中度を推定する集中度推定部と、
前記第１の運転集中度または前記第２の運転集中度を基準と比較する基準比較部と、
前記第１の運転集中度または前記第２の運転集中度が前記基準を満たさない場合、前記運転者に対する支援の実行を指示する指示信号を出力する信号出力部と、
を備える集中度判定装置。
【請求項２】
前記第２の指標群は、前記第１の指標群を構成する指標の数よりも多い数の指標で構成される、請求項１に記載の集中度判定装置。
【請求項３】
前記第２の指標群は、前記第１の指標群を構成する全ての指標と、前記第１の指標群に含まれていない１以上の指標とで構成される、請求項２に記載の集中度判定装置。
【請求項４】
前記第２の指標群は、前記第１の指標群を構成する指標と全て異なる１以上の指標で構成される、請求項１に記載の集中度判定装置。
【請求項５】
前記第２の指標群は、前記第１の指標群を構成する指標のうちの少なくとも１つの指標と、前記第１の指標群に含まれていない少なくとも１つの指標とで構成される、請求項１に記載の集中度判定装置。
【請求項６】
車両の運転者を監視するセンサから画像データを取得する監視データ取得過程と、
前記画像データと対象の位置情報とを用いて、前記車両の左側または右側に位置する前記対象に対する前記運転者の認知度合を検出する状態検出過程と、
前記車両の運転モードが自動運転モードである場合、前記画像データから第１の指標群を構成する前記運転者の状態に含まれる１以上の指標に基づいて前記運転者の第１の運転集中度を推定し、前記運転モードが手動運転モードである場合、前記画像データから前記第１の指標群とは異なる第２の指標群を構成し、前記第１の指標群に含まれない前記認知度合を含む前記運転者の状態に含まれる１以上の指標に基づいて前記運転者の第２の運転集中度を推定する集中度推定過程と、
前記第１の運転集中度または前記第２の運転集中度を基準と比較する基準比較過程と、
前記第１の運転集中度または前記第２の運転集中度が前記基準を満たさない場合、前記運転者に対する支援の実行を指示する指示信号を出力する信号出力過程と、
を備える集中度判定方法。
【請求項７】
請求項１から５の何れか１項に記載の集中度判定装置が備える各部の処理をコンピュータに機能させる集中度判定のためのプログラム。